(57)【要約】【課題】路側装置１５とＩＴＳ車載器１７はＤＳＲＣにより通信自在である。ＩＴＳ車載器１７のユーザは嗜好データテーブルの各項目について自分の嗜好の有無を入力し、その入力情報は路側装置１５へ返される。これにより、路側装置１５はユーザ嗜好を反映したコンテンツを送ることができる。ユーザが行う嗜好データテーブルの各項目について嗜好の有無の入力の手間を軽減する。【解決手段】エリアインした自動車１３のＩＴＳ車載器１７からそのＩＤと共に嗜好データテーブルのバージョンを取得する（Ｓ５２）。該バージョンが最新のものでなければ（Ｓ５３否）、車載器ＩＤに対応するインターネットユーザについてインターネットショップ３５における購入履歴を調べ、購入実績有りの商品に対応する嗜好データテーブルの項目にはユーザ嗜好有りのデフォルト値を設定してから（Ｓ５５）、嗜好データテーブルを送信する（Ｓ５６）。【選択図】図１４
2010087992.tif 000002
【特許請求の範囲】
【請求項１】
無線により相互にデータを送受自在になっている車載器と路側装置とを含む路車間無線通信システムであって、
前記車載器は、
前記路側装置へ該車載器のユーザの識別情報を無線送信する識別情報送信手段、
前記路側装置から嗜好データテーブルの情報を受信する嗜好データテーブル情報受信手段、及び
前記嗜好データテーブルの項目について前記ユーザの嗜好の有無に係る情報を前記路側装置へ無線送信する嗜好情報送信手段、
を備え、
前記路側装置は、
各インターネットユーザに対してそのインターネット利用情報を蓄積する利用情報データベース、
前記車載器から受信した該車載器のユーザ識別情報に係るユーザと同一人であるインターネットユーザを特定するインターネットユーザ特定手段、
前記特定したインターネットユーザの嗜好を前記インターネット利用情報に基づき判断するユーザ嗜好判断手段、
嗜好データテーブルの項目に対する前記ユーザ識別情報に係るユーザの嗜好の有無についてのデフォルト値を前記ユーザ嗜好判断手段の判断結果に基づき設定するデフォルト値設定手段、及び
前記デフォルト値設定手段が設定したデフォルト値を含む嗜好データテーブルの情報を前記車載器へ無線送信する嗜好データテーブル情報送信手段、
を備えることを特徴とする路車間無線通信システム。
【請求項２】
前記インターネット利用情報とは、インターネットユーザのショッピング情報又は閲覧情報であることを特徴とする請求項１記載の路車間無線通信システム。
【請求項３】
前記インターネット利用情報は、前記特定したインターネットユーザが購入した商品又はサービスと同一のものを購入した他のインターネットユーザのショッピング情報も含むことを特徴とする請求項２記載の路車間無線通信システム。
【請求項４】
前記利用情報データベースの情報所有者と前記嗜好データテーブルの提供者とは同一者であることを特徴とする請求項１〜３記載の路車間無線通信システム。
【請求項５】
無線により相互にデータを送受自在になっている車載器と路側装置とを含む路車間無線通信システムであって、
前記車載器は、
前記路側装置へ該車載器のユーザの識別情報を無線送信する識別情報送信手段、
前記路側装置から嗜好データテーブルの情報を受信する嗜好データテーブル情報受信手段、及び
前記嗜好データテーブルの項目について前記ユーザの嗜好の有無に係る情報を前記路側装置へ無線送信する嗜好情報送信手段、
を備え、
前記路側装置は、
顧客のショッピング情報を蓄積するショッピング情報データベース、
ショッピング情報データベースにショッピング情報を蓄積してある顧客であって前記車載器から受信した該車載器のユーザ識別情報に係るユーザと同一人である顧客を特定する顧客特定手段、
特定した顧客の嗜好を前記ショッピング情報に基づき判断するユーザ嗜好判断手段、
嗜好データテーブルの項目に対する前記ユーザ識別情報に係るユーザの嗜好の有無についてのデフォルト値を前記ユーザ嗜好判断手段の判断結果に基づき設定するデフォルト値設定手段、及び
前記デフォルト値設定手段が設定したデフォルト値を含む嗜好データテーブルの情報を前記車載器へ無線送信する嗜好データテーブル情報送信手段、
を備えることを特徴とする路車間無線通信システム。
【請求項６】
無線により相互にデータを送受自在になっている車載器と路側装置とを含む路車間無線通信システムの制御方法であって、
車載器側において、
前記路側装置へ該車載器のユーザの識別情報を無線送信する識別情報送信ステップ、
前記路側装置から嗜好データテーブルの情報を受信する嗜好データテーブル情報受信ステップ、及び
前記嗜好データテーブルの項目について前記ユーザの嗜好の有無に係る情報を前記路側装置へ無線送信する嗜好情報送信ステップ、
を備え、
路側装置側において、
前記車載器から受信した該車載器のユーザ識別情報に係るユーザと同一人であるインターネットユーザを特定するインターネットユーザ特定ステップ、
各インターネットユーザに対してそのインターネット利用情報を蓄積する利用情報データベースにおける前記特定したインターネットユーザの利用情報に基づき該特定したインターネットユーザの嗜好を判断するユーザ嗜好判断ステップ、
嗜好データテーブルの項目に対する前記ユーザ識別情報に係るユーザの嗜好の有無についてのデフォルト値を前記ユーザ嗜好判断ステップにおける判断結果に基づき設定するデフォルト値設定ステップ、及び
前記デフォルト値設定ステップが設定したデフォルト値を含む嗜好データテーブルの情報を前記車載器へ無線送信する嗜好データテーブル情報送信ステップ、
を備えることを特徴とする路車間無線通信システム制御方法。
【請求項７】
請求項１〜５のいずれかに記載の路側間無線通信システムの各手段としてコンピュータを機能させるプログラム。
【発明の詳細な説明】
【技術分野】
【０００１】
本発明は、ＤＳＲＣ（Dedicated Short Range Communication：狭域通信）等の路車間通信を利用する路車間無線通信システム、制御方法及びプログラムに関する。
【背景技術】
【０００２】
特許文献１はＤＳＲＣを利用する路車間通信システムを開示する（特許文献１の図１）。該路車間通信システムでは、路側機の通信エリア内に進入した自動車の車載器は、路側機から広告情報を電波で受信して、ナビ部のディスプレイに表示するようにしている（特許文献１の段落００２４）。また、車載器では、広告情報に含まれる位置情報、ＵＲＬ及び電話番号に基づき自動的に目的地設定、ＨＰ接続及びダイヤルが実施されるようになっている（特許文献１の図４のＳ１２，Ｓ１４，Ｓ１６）。
【０００３】
特許文献２は、車載情報端末装置が情報センタから広告情報と共に、該広告情報に対応付けられた地域情報及び時間帯情報を電波で受信し（特許文献２の図１）、該広告情報（特許文献２の図４）を該地域情報に係る地域及び該時間帯情報に係る時間帯に表示することを開示する（特許文献２の図５のＳ１４〜Ｓ１６）。
【０００４】
特許文献３はＤＳＲＣを利用した広告配信システムを開示する（特許文献３の図１）。該広告配信システムでは、嗜好情報が車載器から路側装置へ通知され（特許文献３の段落００１７）、路側装置は該嗜好情報に基づき選別した広告情報を車載器へ送信し、車載器がこれを再生するようになっている（特許文献３の段落００２８，００２９）。
【特許文献１】特開２００１−１０１５７８号公報
【特許文献２】特開２００４−２７９５０９号公報
【特許文献３】特開２００５−１３４７０７号公報
【発明の開示】
【発明が解決しようとする課題】
【０００５】
路車間の所定のデータ伝送形式のデータは、基本的には５．８ＧＨｚ帯ＤＳＲＣ通信における個別通信によるプッシュ型情報配信方式で配信され、これにより、路側機は通信エリア内のＩＴＳ（Intelligent Transport System：高度道路交通システム） 車載器に対して、ＩＴＳ車載器の特性やユーザ（乗員）の嗜好に合わせた様々なコンテンツを配信することが可能となっている。
【０００６】
具体的には、データ転送における嗜好データテーブルから路側機へのダウンリンクでは、嗜好データテーブルの情報が含められ、また、アップリンクでは、該嗜好データテーブルに対するユーザの回答結果としてのユーザ嗜好の有無情報が含められる。嗜好データテーブルは、ユーザ嗜好情報に基づきユーザごとに適切なコンテンツを選別し、これを車載器へ送信する。
【０００７】
嗜好データテーブルにおいて、ユーザが自分の嗜好の有無を入力しなければならない項目は計９６個あり、ユーザは嗜好データテーブルの多数の項目について自分の嗜好の有無を入力するのに時間と手間がかかる。そこで、ユーザ入力の能率化のために、路側装置又は車載器が嗜好データテーブルの各項目について適当なデフォルト値を付加することにより、ユーザはそれら項目については入力無しで済ませることができるようにしておくことが望まれる。
【０００８】
特許文献１〜３は、嗜好データテーブルに対するユーザ入力の手間を改善する技術についてはなんら示唆していない。
【０００９】
本発明の目的は、嗜好データテーブルにおける各項目のユーザ嗜好の有無入力の手間を省けるようにした路車間無線通信システム、制御方法及びプログラムを提供することである。
【課題を解決するための手段】
【００１０】
本発明によれば、車載器ユーザが、嗜好データテーブルを送信する路車間通信とは別途に利用しているインターネットショッピング等のインターネット利用情報や電話ショッピング等のショッピング情報に基づき該車載器ユーザの嗜好を判断する。そして、その判断結果に基づき嗜好データテーブルの項目のデフォルト値を設定した嗜好データテーブルの情報を路側装置から車載器ユーザの車載器へ送信する。
【００１１】
本発明の路車間無線通信システムは、無線により相互にデータを送受自在になっている車載器と路側装置とを含む。
前記車載器は、
前記路側装置へ該車載器のユーザの識別情報を無線送信する識別情報送信手段、
前記路側装置から嗜好データテーブルの情報を受信する嗜好データテーブル情報受信手段、及び
前記嗜好データテーブルの項目について前記ユーザの嗜好の有無に係る情報を前記路側装置へ無線送信する嗜好情報送信手段、
を備える。
前記路側装置は、
各インターネットユーザに対してそのインターネット利用情報を蓄積する利用情報データベース、
前記車載器から受信した該車載器のユーザ識別情報に係るユーザと同一人であるインターネットユーザを特定するインターネットユーザ特定手段、
前記特定したインターネットユーザの嗜好を前記インターネット利用情報に基づき判断するユーザ嗜好判断手段、
嗜好データテーブルの項目に対する前記ユーザ識別情報に係るユーザの嗜好の有無についてのデフォルト値を前記ユーザ嗜好判断手段の判断結果に基づき設定するデフォルト値設定手段、及び
前記デフォルト値設定手段が設定したデフォルト値を含む嗜好データテーブルの情報を前記車載器へ無線送信する嗜好データテーブル情報送信手段、
を備える。
【００１２】
本発明の別の路車間無線通信システムは、無線により相互にデータを送受自在になっている車載器と路側装置とを含む。
前記車載器は、
前記路側装置へ該車載器のユーザの識別情報を無線送信する識別情報送信手段、
前記路側装置から嗜好データテーブルの情報を受信する嗜好データテーブル情報受信手段、及び
前記嗜好データテーブルの項目について前記ユーザの嗜好の有無に係る情報を前記路側装置へ無線送信する嗜好情報送信手段、
を備える。
前記路側装置は、
顧客のショッピング情報を蓄積するショッピング情報データベース、
ショッピング情報データベースにショッピング情報を蓄積してある顧客であって前記車載器から受信した該車載器のユーザ識別情報に係るユーザと同一人である顧客を特定する顧客特定手段、
特定した顧客の嗜好を前記ショッピング情報に基づき判断するユーザ嗜好判断手段、
嗜好データテーブルの項目に対する前記ユーザ識別情報に係るユーザの嗜好の有無についてのデフォルト値を前記ユーザ嗜好判断手段の判断結果に基づき設定するデフォルト値設定手段、及び
前記デフォルト値設定手段が設定したデフォルト値を含む嗜好データテーブルの情報を前記車載器へ無線送信する嗜好データテーブル情報送信手段、
を備える。
【００１３】
本発明の制御方法は、無線により相互にデータを送受自在になっている車載器と路側装置とを含む路車間無線通信システムに適用される。
該制御方法は、車載器側において、
前記路側装置へ該車載器のユーザの識別情報を無線送信する識別情報送信ステップ、
前記路側装置から嗜好データテーブルの情報を受信する嗜好データテーブル情報受信ステップ、及び
前記嗜好データテーブルの項目について前記ユーザの嗜好の有無に係る情報を前記路側装置へ無線送信する嗜好情報送信ステップ、
を備える。
路側装置側において、
前記車載器から受信した該車載器のユーザ識別情報に係るユーザと同一人であるインターネットユーザを特定するインターネットユーザ特定ステップ、
各インターネットユーザに対してそのインターネット利用情報を蓄積する利用情報データベースにおける前記特定したインターネットユーザの利用情報に基づき該特定したインターネットユーザの嗜好を判断するユーザ嗜好判断ステップ、
嗜好データテーブルの項目に対する前記ユーザ識別情報に係るユーザの嗜好の有無についてのデフォルト値を前記ユーザ嗜好判断ステップにおける判断結果に基づき設定するデフォルト値設定ステップ、及び
前記デフォルト値設定ステップが設定したデフォルト値を含む嗜好データテーブルの情報を前記車載器へ無線送信する嗜好データテーブル情報送信ステップ、
を備える。
【００１４】
本発明のプログラムは、本発明の前述の路側間無線通信システムの各手段としてコンピュータを機能させる。
【発明の効果】
【００１５】
本発明によれば、車載器ユーザが、嗜好データテーブルを送信する路車間通信とは別途に利用しているインターネットショッピング等のインターネット利用情報や電話ショッピング等のショッピング情報に基づき嗜好データテーブルの項目のデフォルト値を設定し、該デフォルト値付き嗜好データテーブルの情報を車載器ユーザの車載器へ送信するので、ユーザは嗜好データテーブルの項目について入力する手間を省略することができる。
【発明を実施するための最良の形態】
【００１６】
図１は所定の路車間データ伝送形式のデータに基づく路車間ＤＳＲＣシステム１０の概略図である。路側機１１は、サーバ１２と共に路側装置１５を構成し、有線又は無線でサーバ１２へ接続されている。サーバ１２は、さらに、インターネット等のネットワークを介して別のサーバとデータを送受自在になっている。路側機１１は、直径がほぼ数ｍ〜３０ｍのエリアに存在する自動車１３に搭載されているＩＴＳ車載器１７とは５．８ＧＨｚ 帯の電波を使ってデータを送受する。ＩＴＳ車載器１７はＤＳＲＣ部１８及びナビ部１９を有している。
【００１７】
図２は所定の路車間データ伝送形式におけるデータ伝送態様の説明図である。マルチコンテンツ形式のダウンリンクでは、データをその種類に応じて分類し、分類ごとにＩＤコード"００"，"０１"，"０２"，〜を割り振っている。マルチコンテンツ形式のデータ伝送では、データが情報グループを単位に括られ、各情報グループは先頭にＩＤ＝"００"の分類データをもつ。ＩＤ＝"００"の分類データは、その情報グループに含まれているＩＤにはどのようなものがあるかを示す構成情報となっている。
【００１８】
図３は情報グループの構成について各ＩＤが必須か任意かを示す図である。ＩＤ＝００，０１，０２は、各情報グループに必ず含めなければならない。ＩＤ＝０３，０４，０５は、ＩＤ＝６０のみの情報提供の場合には情報グループに含める必要はないが、その他の情報提供の場合には、情報グループに必ず含める必要がある。その他のＩＤは情報グループに含めるか否かは任意である。
【００１９】
図４〜図７はダウンリンクで使用する各ＩＤに割り当てる分類表である。ＩＤ＝００は構成ＩＤ情報（各情報グループがどのようなＩＤを格納しているかを記述する領域）の分類となっている。ＩＤ＝０１は、事業者の分類となっており、サービス事業者コード（サービス事業者を特定できる事業者コード）、サービス事業者表示テキスト（ナビ表示用サービス事業社名(サービス名)テキスト情報）、及びサービス事業者表音文字列（ナビ発話用サービス事業社名(サービス名)表音文字列情報）を含む。
【００２０】
ＩＤ＝０２はコンテンツの分類となっており、企業コード（コンテンツの情報提供元を特定できるコード）、企業表示テキスト（ナビ表示用情報提供企業名テキスト情報）、企業表音文字列（ナビ発話用情報提供企業名表音文字列情報）、情報コード（コンテンツを特定できる情報コード）、情報表示テキスト（ナビ表示用コンテンツ内容テキスト情報）、情報表音文字列（ナビ発話用コンテンツ内容表音文字列情報）、及び嗜好データカテゴリー（情報が該当する情報カテゴリーを示すカテゴリーコード）を含む。
【００２１】
ＩＤ＝０３は、ＩＤ＝０２と同様に、コンテンツの分類となっており、即時再生／蓄積コード（受信後のコンテンツ再生動作を表すコード）、及び再生条件コード（情報提供エリアでのコンテンツ再生条件を示すコード）を含む。
【００２２】
ＩＤ＝０４は、有効期限の分類となっており、開始年月日時分秒（コンテンツの有効期限）、及び終了年月日時分秒（コンテンツの有効期限）を含む。ＩＤ＝０５は、提供時間の分類となっており、営業時間（コンテンツ提供元の営業時間）、及び情報提供時間（コンテンツ提供時間）を含む。
【００２３】
ＩＤ＝１０は、対象地点の分類となっており、対象地点座標（サービス提供可能な地点の緯度経度情報）、対象地点表示用テキスト（サービス名称(店舗名称等)）、提携駐車場情報（対象地点以外の提携駐車場情報）、アイコン表示画像データ（サービス提供可能な場所を表すアイコンのデータ）、表示用文字データ（サービスの説明用テキスト情報）、表示画像データ（サービスを表す静止画情報）、表音文字列データ（サービスを表す表音文字列情報）、圧縮音声データ（圧縮音声データ情報）、音声再生順（表音文字列と圧縮音声の再生順序を表す）、ビデオデータ（ビデオデータ情報）、及びＵＲＬ（サービスを表すＵＲＬ情報）を含む。
【００２４】
ＩＤ＝２０は、情報提供地点の分類となっており、計５個の情報提供地点について、情報提供中心座標（ポップアップ情報を再生する緯度経度情報）、情報提供エリア（ポップアップ情報を再生するエリアを定義する中心座標からの半径情報）、情報提供方向コード（ポップアップ情報を再生する情報提供方向情報）、情報提供道路種別（ポップアップ情報を再生する道路種別情報）、表示画像データ（ポップアップ再生する静止画のデータ）、表音文字列データ（ポップアップ再生する表音文字列情報、圧縮音声データポップアップ再生する圧縮音声のデータ）、及び音声再生順（ポップアップ再生する音声データの再生順番を表すコード）を含む。
【００２５】
ＩＤ＝３０は、遷移情報の分類となっており、計８個の次再生情報コード（ 画面遷移情報）を含む。ＩＤ＝４０は、詳細情報の分類となっており、計８個の各詳細情報について、表示用文字データ（ナビ表示用詳細情報テキスト情報）、及び発話用表音文字列（ナビ発話用詳細情報表音文字列情報）を含む。
【００２６】
ＩＤ＝５０は、駐車場情報の分類となっており、１５個の各駐車場について、駐車場ＩＤ（駐車場を特定できるＩＤ）、詳細情報（駐車場の動的詳細情報）、及び特記事項（駐車場の特記事項）を含む。
【００２７】
ＩＤ＝５１は、ナビ部１９に格納されている駐車場の静的情報を３次メッシュ単位で最大４メッシュ分更新することが可能になる。ＩＤ＝５１は、３ 次メッシュ数（更新する駐車場静的情報を含む３ 次メッシュ数を通知するもの）、１〜４の各メッシュについて、３ 次メッシュコード（更新する駐車場静的情報を含む３ 次メッシュコード）、３ 次メッシュバージョン情報（更新する駐車場静的情報が含まれる３ 次メッシュのバージョン情報）、３ 次メッシュ駐車場数（更新するメッシュに含まれる駐車場静的情報数）、３ 次メッシュ駐車場静的情報（更新する駐車場の静的情報）を含む。
【００２８】
ＩＤ＝５２は削除駐車場ＩＤ情報である。メッシュ単位で駐車場情報をすべて（新設／削除）更新する場合はこの情報は用いない。ＩＤ＝５２は、３次メッシュ数（削除する駐車場ＩＤ情報を含む３次メッシュ数を通知するもの）、３次メッシュコード（削除する駐車場ＩＤ情報を含む３次メッシュコード）、３次メッシュバージョン情報（削除する駐車場ＩＤ情報が含まれる３次メッシュのバージョン情報；ＩＤ＝５１で同時に通知される静的情報のバージョンと同一のものとする）、３次メッシュ駐車場数（更新するメッシュに含まれる駐車場静的情報数）、及び３次メッシュ削除駐車場ＩＤ情報（削除する駐車場ＩＤ情報）を含む。
【００２９】
ＩＤ＝６０は、運転支援の分類であり、運転支援画像データ（運転支援画像情報）、運転支援表音文字列（データ運転支援表音文字列情報）、運転支援圧縮音声（データ運転支援圧縮音声情報）、及び音声再生順（表音文字列と圧縮音声の再生順序を表す）が含まれる。
【００３０】
ＩＤ＝８０は、嗜好データの分類であり、計１２７個の各嗜好データのテーブルについて、嗜好データバージョン（嗜好データのテーブルのバージョン情報）、嗜好データテーブル（ 嗜好データのテーブルの表示用テキスト情報）、表音文字列（嗜好データのテーブルの発話用表音文字列情報）、及び詳細情報（嗜好データのテーブルの詳細情報）が含まれる。
【００３１】
図８は路側装置１５−ＩＴＳ車載器１７間のトランザクションで実施される各機器間の通信及び処理を示している。路側機１１及びサーバ１２は路側装置１５を構成する。ＩＴＳ車載器１７はＤＳＲＣ部１８及びナビ部１９を有している。時間順に説明する。なお、路側機１１−ＤＳＲＣ部１８間の通信はＤＳＲＣの電波で行われ、路側機１１−サーバ１２間及びＤＳＲＣ部１８−ナビ部１９間の通信は通常、ケーブルで行われる。
【００３２】
ＩＴＳ車載器１７において電源が投入されるのに伴い、Ｓ１０では、ナビ部１９からＤＳＲＣ部１８へクライアントインフォメーションデータが書き込まれる。ＩＴＳ車載器１７を搭載する自動車１３が路側機１１との通信可能な距離（例：約３０ｍ）の電波到達エリアに進入するのに伴い、Ｓ１１では、路側機１１−ＤＳＲＣ部１８間でＤＳＲＣ接続処理が実施される。
【００３３】
Ｓ１１のＤＳＲＣ接続処理が終了すると、Ｓ１２，Ｓ１３でＤＳＲＣ接続通知が行われる。Ｓ１２の接続通知は路側機１１からサーバ１２へのものであり、Ｓ１３の接続通知はＤＳＲＣ部１８からナビ部１９へのものである。Ｓ１４では、クライアントインフォメーションがＤＳＲＣ部１８から路側機１１を経てサーバ１２へ通知される。
【００３４】
サーバ１２は、ＤＳＲＣ部１８からのクライアントインフォメーション通知に基づきＩＴＳ車載器１７のユーザが会員か非会員かを判別したり、ＩＴＳ車載器１７でコンテンツを適正に再生するためのＩＴＳ車載器１７のハードウェア情報を知得する。Ｓ１８では、サーバ１２から路側機１１及びＤＳＲＣ部１８を経てナビ部１９へＷｅｌｃｏｍｅ画面等のコンテンツを送信する。該コンテンツはマルチコンテンツフォーマットで編成されている。ナビ部１９は、マルチコンテンツフォーマットからサービス事業者を判断する。
【００３５】
サーバ１２は、Ｓ１８後、ナビ部１９がアップリンク情報をＤＳＲＣ部１８に書き込むまで、Ｓ１９でＤＳＲＣ部１８に対して定期的にポーリングを行う。Ｓ２０では、ナビ部１９は、該サービス事業者の会員であれば、アップリンク情報をＤＳＲＣ部１８に書き込むのに対し、会員でなければ、何もしない。
【００３６】
Ｓ２４では、サーバ１２は、路側機１１及びＤＳＲＣ部１８を経由してデフォルトのコンテンツ（例：Ｗｅｌｃｏｍｅ画面）をナビ部１９へ送る。Ｓ２９では、サーバ１２は、ＤＳＲＣ部１８に対してメモリアクセスポーリングを実施する。これに対して、Ｓ３０では、ＤＳＲＣ部１８は、ユーザが会員であれば、アップリンク情報をサーバ１２へ通知する。
【００３７】
Ｓ３３では、サーバ１２は、アップリンク情報から取得した会員情報に基づき会員趣向に適した蓄積型コンテンツをマルチコンテンツフォーマット（図２）で編成してＩＴＳ車載器１７へ配信する。後述するように、路側装置１５は、Ｓ３３の期間中、蓄積型コンテンツの配信を１回以上、中断して、即時再生型コンテンツの配信を割込ませる。Ｓ３４では、蓄積型コンテンツの配信終了を通知する。ＩＴＳ車載器１７を搭載する自動車１３は、配信終了に伴い路側機１１との通信エリアから退出する。
【００３８】
図９はＩＴＳ車載器１７から路側装置１５へ送られるアップリンク情報のデータ説明図である。アップリンク情報は、複数のタグで送られる。タグ１には、サービス事業者コード、目的地（緯度経度）、経由地（緯度経度）１〜５、累計走行距離、嗜好ジャンルデータバージョン、嗜好ジャンルデータ、会員情報１〜８が含められる。タグ２には、サービス事業者コード、過去立寄り地（緯度経度）１〜４１が含められる。タグ３には、サービス事業者コード、過去立寄り地（緯度経度）４２〜８２が含められる。
【００３９】
タグ４には、サービス事業者コード、受信／再生履歴（受信情報コード及び再生識別フラグ）１〜１２３が含められる。タグ５には、サービス事業者コード、受信／再生履歴（受信情報コード及び再生識別フラグ）１２４〜２４６が含められる。
【００４０】
図１０はＩＤ＝８０の嗜好データの一例をテーブル表現した説明図である。嗜好データは、嗜好データ番号、嗜好データ表示用テキスト、嗜好データ表示用ネスト、嗜好データ対象識別子、嗜好データデフォルト値、表音文字列により構成される。嗜好データ番号は、０〜１２７ の最大、計１２８個存在し、サービス業者が各データ番号の項目を自由に設定することができる。１２８の項目の内、最大９６項目がＳ３０（図４）でＩＴＳ車載器１７から路側装置１５へアップリンク情報として通知される。
【００４１】
アップリンク情報として通知される９６項目中、１２ 項目は、公共情報提供サービス目的に利用され、ＤＳＲＣ通信において情報提供を行う際にはデフォルトで配信する情報項目となっている。図１０の嗜好データテーブルにおいて、表示用ネストは、各項目（図１０のデータ番号に対応する。）の階層を意味し、大きい数値ほど、下の階層を意味している。対象識別子は、それが"０"となっている項目は、ナビ部１９における嗜好データのチェック付け画面（後述の図１１）においてチェック対象となっていないことを意味し、それが"１"となっている項目は、該チェック付け画面においてチェック対象となっていることを意味する。デフォルト値は、それが"０"となっている項目は、チェック付けの初期画面にチェック無しで表示することを意味し、それが"１"となっている項目は、チェック付けの初期画面にチェック有りで表示することを意味する。
【００４２】
図１１は路側装置１５から嗜好データを受信したＩＴＳ車載器１７がナビ部１９の表示器に表示するチェック付けの画面の一例である。ユーザはスクロールバー２３をドラッグすることにより画面を上下方向へスクロールすることができる。図１１において、ユーザがオンボタンをクリックすると、チェックを付けたことになり、オフボタンをクリックすると、チェックを外したことになる。各項目において、"オン"及び"オフ"の内、が斜体になっている方をユーザが選択したことを意味している。
【００４３】
図１１は、路側装置１５から嗜好データを受信したＩＴＳ車載器１７がナビ部１９の表示器に最初に表示するチェック付けの画面であり、受信した嗜好データのデフォルト値が"０"（例：図１０のバーゲン情報及びクーポン情報）である項目はオフ（チェック無し）となっており、また、受信した嗜好データのデフォルト値が"１"（例：図１０の駐車場情報）である項目はオン（チェック有り）となっている。なお、チェック有りは、ユーザがその項目について嗜好が有ることを意味し、チェック無しは、ユーザがその項目について嗜好が無いことを意味する。       
【００４４】
図１２は嗜好データテーブルの項目のデフォルト値を設定する説明図である。路側装置１５及びインターネットショップ３５の情報は共通の業者の所有となっている。該業者は、例えば、ＣＤやＤＶＤ、書籍、家電若しくは衣料、又は旅行等の販売業者又はサービス業者であったりする。例えば、ＤＶＤレンタル及び販売業者が、インターネットショップ３５を運営するとともに、店舗も運営し、該店舗に訪れる顧客に対してタウンカーライフナビマルチコンテンツ形式の広告提供を行うことが考えられる。
【００４５】
路側装置１５のサーバ１２は嗜好データテーブルデータベース３０を装備し、嗜好データテーブルデータベース３０には、車載器に対する各会員の嗜好情報が格納されている。路側装置１５は、エリアインした自動車１３からの車載器ＩＤ情報、並びに嗜好データテーブルのバージョン情報及び嗜好情報等を無線で路側機１１において受信し、嗜好情報に適合したコンテンツを選択して、該コンテンツの情報を路側機１１からＩＴＳ車載器１７へ送信する。
【００４６】
インターネットショップ３５にはサーバ３６及び購入／参照履歴データベース３７が配備される。インターネットユーザは、インターネット４３を利用して、インターネットショップ３５の商品やサービスを購入する場合には、自宅のパソコン３９や携帯電話機４０からインターネット４３を介してインターネットショップ３５のＷｅｂ頁へアクセスして、注文を行う。この時の購入履歴や、ユーザがどの商品又はサービスのＷｅｂ頁を参照（閲覧）したかの参照履歴は購入／参照履歴データベース３７にユーザ別に保存される。
【００４７】
サーバ１２は、嗜好データテーブルのバージョンアップを行う時は、新バージョンの嗜好データテーブルの項目のデフォルト値を車載器ＩＤ別、すなわちユーザ別に設定する。具体的には、車載器ＩＤに対応付けられるユーザについて、購入／参照履歴データベース３７における購入及び参照情報を参照する。そして、新バージョンの嗜好データテーブルの項目に例えば洋画、旅行、パソコン、子供服又は欧州の項目があり、今回の車載器ＩＤのユーザについて、サーバ３６の購入／参照履歴データベース３７に洋画のＤＶＤ、旅行ガイドブック、デジタルオーディオプレーヤ、子供服、欧州宛ての航空券の購入実績が存在すれば、新バージョンの洋画、旅行、パソコン、子供服又は欧州の項目には、ユーザ嗜好有りのデフォルト値を設定する。
【００４８】
なお、購入情報に代えて購入／参照履歴データベース３７における参照情報（Ｗｅｂ頁閲覧情報）に基づき嗜好データテーブルの項目のデフォルト値を設定することもできる。例えば、インターネットユーザは、商品やサービスの購入に先立ち、それらの内容を紹介するＷｅｂ頁を閲覧する。そして、購入には至らないものの、十分に所定のジャンル（例：洋画、旅行、パソコン、子供服又は欧州）のＷｅｂ頁にアクセスしている実績（例：現在より過去所定期間内における閲覧回数が所定の閾値以上であること。）があるとする。そういう場合には、該ユーザは、該ジャンルに関心又は興味があると判断して、該ジャンルに対応する嗜好データテーブルの項目のデフォルト値はユーザ嗜好有りに設定する。
【００４９】
図１３は嗜好データテーブル配信方法５０のフローチャートである。嗜好データテーブル配信方法５０は、路側機１１の無線エリアに自動車１３が新規に進入するごとに実行される。すなわち、Ｓ５１では、新規にエリアインした自動車１３が有るか否かを判定し、判定が正になりしだい、Ｓ５２へ進む。
【００５０】
Ｓ５２では、ＩＴＳ車載器１７からのアップリンクにより車載器ＩＤ及び嗜好データテーブルのバージョンの情報を取得する。Ｓ５３では、Ｓ５２での取得情報における嗜好データテーブルのバージョンが最新のものか否かを判定し、最新のものであれば、嗜好データテーブル配信方法５０を終了し、古いバージョンであれば、Ｓ５４へ進む。
【００５１】
Ｓ５４では、車載器ＩＤに対応するユーザのデータがインターネットショップ３５の購入／参照履歴データベース３７に存在するか否かを判定し、判定が正であれば、Ｓ５５へ進み、否であれば、Ｓ５６へ進む。Ｓ５５では、インターネットショップ３５の購入／参照の履歴に基づき購入／参照の実績のある商品、サービス又はそれらのジャンルに対応する嗜好データテーブルの項目のデフォルト値をユーザ嗜好有りに設定する。Ｓ５６では、最新バージョンの嗜好データテーブルを路側機１１からＩＴＳ車載器１７へ送信する。
【００５２】
こうして、今回エリアインした自動車１３に対して、そのＩＴＳ車載器１７の嗜好データテーブルのバージョンが旧バージョンとなっており（Ｓ５３否）、ＩＴＳ車載器１７のユーザがインターネットショップ３５の会員になっていて、かつインターネットショップ３５の商品等の購入実績やＷｅｂ頁の参照実績がある（Ｓ５４正）場合には、新バージョンの嗜好データテーブルの幾つかの項目についてはインターネットショップ３５における購入／参照の実績に基づきデフォルト値を設定し（Ｓ５５）、こうしてデフォルト値を設定された新バージョンの嗜好データテーブルの情報がＩＴＳ車載器１７へダウンリンクで送信されることになる（Ｓ５６）。
【００５３】
これに対して、ＩＴＳ車載器１７のユーザは、新バージョンの嗜好データテーブルの所定の項目についてはデフォルト値付きであって、自分嗜好の有無を入力する手間を省いて、嗜好データテーブルへの嗜好の有無入力を済ませることができる。ＩＴＳ車載器１７のユーザが新バージョンの嗜好データテーブルに対して入力終了した嗜好情報は、入力終了時になおエリアイン中であれば、直ちに路側装置１５へ送信され、また、入力終了時に自動車１３がすでにエリアアウトしていれば、次回のエリアイン時にＩＴＳ車載器１７へ送信される。
【００５４】
図１４は路車間無線通信システム１３０のブロック図である。路車間無線通信システム１３０は、無線により相互にデータを送受自在になっている車載器１４０と路側装置１６０とを含む。車載器１４０の具体例は図１２のＩＴＳ車載器１７であり、路側装置１６０の具体例は、図１２における路側装置１５とインターネットショップ３５における配備機器とを含む装置である。
【００５５】
車載器１４０は、識別情報送信手段１４１、嗜好データテーブル情報受信手段１４２、及び嗜好情報送信手段１４３を備える。 識別情報送信手段１４１は、路側装置へ該車載器１４０のユーザの識別情報を無線送信する。嗜好データテーブル情報受信手段１４２は、路側装置から嗜好データテーブルの情報を受信する。嗜好情報送信手段１４３は、嗜好データテーブルの項目についてユーザの嗜好の有無に係る情報を路側装置へ無線送信する。
【００５６】
路側装置１６０は、利用情報データベース１６１、インターネットユーザ特定手段１６２、ユーザ嗜好判断手段１６３、デフォルト値設定手段１６４及び送信手段１６５を備える。利用情報データベース１６１はインターネットショップ３５の購入／参照履歴データベース３７に対応する。インターネットユーザ特定手段１６２は例えば路側装置１５のサーバ１２又はインターネットショップ３５のサーバ３６に実装される。ユーザ嗜好判断手段１６３、デフォルト値設定手段１６４及び送信手段１６５は例えば路側装置１５のサーバ１２に実装される。
【００５７】
利用情報データベース１６１は、各インターネットユーザに対してそのインターネット利用情報を蓄積する。インターネットユーザ特定手段１６２は、車載器ユーザと同一人であるインターネットユーザを特定する。ユーザ嗜好判断手段１６３は、特定したインターネットユーザの嗜好をインターネット利用情報に基づき判断する。
【００５８】
デフォルト値設定手段１６４は、車載器ユーザの嗜好データテーブルの項目の嗜好有無についてのデフォルト値をユーザ嗜好判断手段１６３の判断結果に基づき設定する。送信手段１６５は、デフォルト値設定手段１６４が設定したデフォルト値を含む嗜好データテーブルの情報を車載器ユーザの車載器１４０へ無線送信する。
【００５９】
インターネット利用情報とは、例えばインターネットユーザのショッピング情報又はＷｅｂ頁閲覧情報である。説明の便宜上、ここで、インターネットユーザ特定手段１６２が特定したインターネットユーザを「対象ユーザ」と呼ぶことにする。対象ユーザは、今回エリアインした自動車の車載器ユーザでもある。
【００６０】
典型的には、デフォルト値設定手段１６４によるデフォルト値設定は、車載器ユーザの車載器１４０の嗜好データテーブルのバージョンが旧バージョンであると判明した場合に、新バージョンの嗜好データテーブルを該車載器ユーザの該車載器１４０へ送信する前である。典型的には、デフォルト値設定手段１６４は、対象ユーザについて、その嗜好データテーブルの項目とショッピング情報における購入品や購入サービスとの同一性や類似性を調べる。そして、購入実績の有る商品やサービスと内容的に関連のある（商品又はサービスと同一及び類似する）嗜好データテーブルの項目については、ユーザ嗜好有りのデフォルト値を設定する。
【００６１】
別の例では、デフォルト値設定手段１６４は、対象ユーザについて、その嗜好データテーブルの項目と閲覧したＷｅｂ頁との関連性の有無を調べる。例えば、該対象ユーザが購入には至らなかったものの、近時、頻繁に所定のジャンルのＷｅｂ頁を閲覧している実績が有れば、該ジャンルに対応する商品又はサービスと内容的に関連のある（商品又はサービスと同一及び類似する）嗜好データテーブルの項目については、ユーザ嗜好有りのデフォルト値を設定する。
【００６２】
典型的には、利用情報データベース１６１の情報所有者と嗜好データテーブルの提供者とは同一者であるが、これに限定されない。また、嗜好データテーブルの項目のユーザ嗜好のデフォルト値設定の基にする対象ユーザによる閲覧Ｗｅｂ頁は、インターネットショップのものに限定されない。例えばポータルサイトの閲覧Ｗｅｂ頁であってもよいとする。該対象ユーザがポータルサイトにおいて所定のジャンル（例：金融、グルメ、映画、音楽）のＷｅｂ頁を頻繁に閲覧する実績が有る場合には、該ジャンルと内容的に関連のある嗜好データテーブルの項目については、ユーザ嗜好有りのデフォルト値を設定する。
【００６３】
好ましくは、インターネット利用情報は、特定したインターネットユーザが購入した商品又はサービスと同一のものを購入した他のインターネットユーザのショッピング情報も含む。例えば、書籍等のインターネットショップでは、この本を購入した人は、その他にこういう本も購入しているとの情報をＷｅｂ頁で紹介することがある（例：「この商品を買った人はこんな商品も買っています。」）。このように、対象ユーザと同じ商品やサービスを購入した人が購入した別の商品やサービスは、該対象ユーザには購入実績がなくても、該対象ユーザにとり関心は高いと考えられるので、該別の商品やサービスに内容的に関連する嗜好データテーブルの項目については、該対象ユーザの嗜好有りのデフォルト値を設定することは有利である。
【００６４】
こうして、車載器ユーザの車載器１４０は、項目にデフォルト値が付けられた嗜好データテーブルを受信して、それをユーザに提示することができ、ユーザは嗜好データテーブルの項目への自分の嗜好の有無の入力の手間を省くことができる。
【００６５】
図１５は別の路車間無線通信システム１６８のブロック図である。路車間無線通信システム１６８は、無線により相互にデータを送受自在になっている車載器１４０と路側装置１７０とを含む。路車間無線通信システム１６８の車載器１４０は路車間無線通信システム１３０の車載器１４０と同一であるので、説明を省略する。
【００６６】
図１４の路側装置１６０はインターネットを利用するものに限定されているのに対し、図１５の路側装置１７０は、インターネットを利用するものでなくても、電話ショッピングやｆａｘショッピングを利用するものであってもよい。路側装置１７０は、ショッピング情報データベース１７１、顧客特定手段１７２、ユーザ嗜好判断手段１７３、デフォルト値設定手段１７４及び送信手段１７５を備える。顧客特定手段１７２は例えば路側装置１５のサーバ１２又はインターネットショップ３５のサーバ３６に実装される。ユーザ嗜好判断手段１７３、デフォルト値設定手段１７４及び送信手段１７５は例えば路側装置１５のサーバ１２に実装される。
【００６７】
ショッピング情報データベース１７１は、顧客のショッピング情報を蓄積する。顧客特定手段１７２は、ショッピング情報データベース１７１にショッピング情報を蓄積してある顧客であって車載器ユーザと同一人である顧客を特定する。ユーザ嗜好判断手段１７３は、特定した顧客の嗜好をショッピング情報に基づき判断する。デフォルト値設定手段１７４は、車載器ユーザの嗜好データテーブルの項目の嗜好有無についてのデフォルト値をユーザ嗜好判断手段１６３の判断結果に基づき設定する。送信手段１７５は、デフォルト値設定手段１６４が設定したデフォルト値を含む嗜好データテーブルの情報を車載器ユーザの車載器１４０へ無線送信する。
【００６８】
路側装置１７０においても、路側装置１６０（図１４）と同様に、車載器ユーザの嗜好データテーブルの項目であって、購入実績のある商品やサービスに関連する項目に対して、ユーザ嗜好有りのデフォルト値を設定することができる。
【００６９】
図１６は路車間無線通信システム制御方法１７８のフローチャートである。路車間無線通信システム制御方法１７８は、前述の路車間無線通信システム１３０に適用され、車載器１４０において実施される方法部分１８０と、路側装置１６０において実施される方法部分１９０とを備える。
【００７０】
方法部分１８０はＳ１８１〜Ｓ１８３を備える。方法部分１９０はＳ１９１〜Ｓ１９４を備える。
【００７１】
Ｓ１８１では、路側装置１６０へ該車載器１４０のユーザの識別情報を無線送信する。Ｓ１８２では、路側装置１６０から嗜好データテーブルの情報を受信する。Ｓ１８３では、嗜好データテーブルの項目についてユーザの嗜好の有無に係る情報を路側装置１６０へ無線送信する。
【００７２】
Ｓ１９１では、各インターネットユーザに対してそのインターネット利用情報を蓄積している利用情報データベース１６１のインターネットユーザであって車載器ユーザと同一人であるインターネットユーザを特定する。
【００７３】
Ｓ１９２では、特定したインターネットユーザの嗜好をインターネット利用情報に基づき判断する。Ｓ１９３では、車載器ユーザの嗜好データテーブルの項目の嗜好有無についてのデフォルト値をＳ１９２における判断結果に基づき設定する。Ｓ１９４では、Ｓ１９３において設定したデフォルト値を含む嗜好データテーブルの情報を車載器ユーザの車載器１４０へ無線送信する。
【００７４】
Ｓ１８１〜Ｓ１８３の処理は、車載器１４０（図１４）の識別情報送信手段１４１、嗜好データテーブル情報受信手段１４２、及び嗜好情報送信手段１４３の機能にそれぞれ対応している。したがって、識別情報送信手段１４１、嗜好データテーブル情報受信手段１４２、及び嗜好情報送信手段１４３の機能について述べた具体的態様はＳ１８１〜Ｓ１８３の処理についての具体的態様としても適用可能である。
【００７５】
Ｓ１９１〜Ｓ１９４の処理は、路側装置１６０（図１４）のインターネットユーザ特定手段１６２〜送信手段１６５の機能にそれぞれ対応している。したがって、インターネットユーザ特定手段１６２〜送信手段１６５の機能について述べた具体的態様はＳ１９１〜Ｓ１９４の処理についての具体的態様としても適用可能である。
【００７６】
本発明を適用したプログラムは、コンピュータを路車間無線通信システム１３０又は１６８の各手段として機能させる。本発明を適用した別のプログラムは、路車間無線通信システム制御方法１７８の各ステップをコンピュータに実行させる。
【００７７】
本明細書は様々な範囲及びレベルの発明を開示している。それら発明は、本明細書で説明した様々な技術的範囲及び具体的レベルの各装置及び各方法だけでなく、拡張ないし一般化の範囲で、各装置及び各方法から独立の作用、効果を奏する１つ又は複数の要素を抽出したものや、１つ又は複数の要素を拡張ないし一般化の範囲で変更したものや、さらに、各装置間及び各方法間で１つ又は複数の要素の組合せを入れ換えたものを含む。
【図面の簡単な説明】
【００７８】
【図１】所定の路車間データ伝送形式のデータに基づく路車間ＤＳＲＣシステムの概略図である。
【図２】所定の路車間データ伝送形式におけるデータ伝送態様の説明図である。
【図３】情報グループの構成について各ＩＤが必須か任意かを示す図である。
【図４】ダウンリンクで使用する各ＩＤに割り当てる分類表の第１の部分である。
【図５】ダウンリンクで使用する各ＩＤに割り当てる分類表の第２の部分である。
【図６】ダウンリンクで使用する各ＩＤに割り当てる分類表の第３の部分である。
【図７】ダウンリンクで使用する各ＩＤに割り当てる分類表の第４の部分である。
【図８】路側装置路側装置−ＩＴＳ車載器間のトランザクションで実施される各機器間の通信及び処理を示す図である。
【図９】ＩＴＳ車載器から路側装置路側装置へ送られるアップリンク情報のデータ説明図である。
【図１０】嗜好データの一例をテーブル表現した説明図である。
【００７９】
【図１１】路側装置路側装置から嗜好データを受信したＩＴＳ車載器がナビ部の表示器に表示するチェック付けの画面の一例である。
【図１２】嗜好データテーブルの項目のデフォルト値を設定する説明図である。
【図１３】嗜好データテーブル配信方法のフローチャートである。
【図１４】路車間無線通信システムのブロック図である。
【図１５】別の路車間無線通信システムのブロック図である。
【図１６】路車間無線通信システム制御方法のフローチャートである。
【符号の説明】
【００８０】
１３０：路車間無線通信システム、１４０：車載器、１４１：識別情報送信手段、１４２：嗜好データテーブル情報受信手段、１４３：嗜好情報送信手段、１６０：路側装置、１６１：利用情報データベース、１６２：インターネットユーザ特定手段、１６３：ユーザ嗜好判断手段、１６４：デフォルト値設定手段、１６５：送信手段、１６８：路車間無線通信システム、１７０：路側装置、１７１：ショッピング情報データベース、１７２：顧客特定手段、１７３：ユーザ嗜好判断手段、１７４：デフォルト値設定手段、１７５：送信手段、１７８：路車間無線通信システム制御方法。
【図１】
2010087992.tif 000003
【図２】
2010087992.tif 000004
【図３】
2010087992.tif 000005
【図４】
2010087992.tif 000006
【図５】
2010087992.tif 000007
【図６】
2010087992.tif 000008
【図７】
2010087992.tif 000009
【図８】
2010087992.tif 000010
【図９】
2010087992.tif 000011
【図１０】
2010087992.tif 000012
【図１１】
2010087992.tif 000013
【図１２】
2010087992.tif 000014
【図１３】
2010087992.tif 000015
【図１４】
2010087992.tif 000016
【図１５】
2010087992.tif 000017
【図１６】
2010087992.tif 000018